(57)【特許請求の範囲】
【請求項１】
ｓ個の受信電極、及び、前記受信電極と交差するように形成されており、ｓ個より小さいｋ個の駆動電極を含むタッチパネルが、インセルタイプで形成されているパネルと、
前記駆動電極のうち、隣接している第ｎ（１より大きくｋより小さい数）の駆動電極と第ｎ＋１の駆動電極に第１の駆動電圧と第２の駆動電圧をそれぞれ供給して、前記第ｎの駆動電極のタッチの有無を判断し、第ｋの駆動電極に前記第１の駆動電圧を供給し、第ｋ−１の駆動電極に前記第２の駆動電圧を供給して、前記第ｋの駆動電極のタッチの有無を判断するタッチ感知部と、を含む、表示装置。
【請求項２】
前記駆動電極は、
前記パネルに形成されているゲートラインと並んで形成されていることを特徴とする、請求項１に記載の表示装置。
【請求項３】
前記タッチ感知部は、
１フレーム期間に含まれている第１のタッチ感知期間乃至第ｋ−１のタッチ感知期間では、隣接している前記第ｎの駆動電極と前記第ｎ＋１の駆動電極に第１の駆動電圧と第２の駆動電圧をそれぞれ供給し、前記受信電極から受信された感知信号を利用して、第１の駆動電極乃至第ｋ−１の駆動電極でのタッチの有無を判断し、
第ｋのタッチ感知期間では、第ｋの駆動電極に前記第１の駆動電圧を供給し、前記第ｋ−１の駆動電極に前記第２の駆動電圧を供給して、前記受信電極から受信された感知信号を利用して前記第ｋの駆動電極でのタッチの有無を判断することを特徴とする、請求項１に記載の表示装置。
【請求項４】
ｓ個の受信電極とｓ個より小さいｋ個の駆動電極が交差するように形成されている第１のタッチ電極グループと、ｓ個の他の受信電極と第ｋ＋１の駆動電極乃至第２ｋの駆動電極が交差するように形成されている第２のタッチ電極グループを含むタッチパネルが、インセルタイプで形成されているパネルと、
前記第１のタッチ電極グループと前記第２のタッチ電極グループの各々で、前記駆動電極のうち、隣接している第ｎ（ｎは１より大きくｋより小さい数）の駆動電極と第ｎ＋１の駆動電極に第１の駆動電圧と第２の駆動電圧をそれぞれ供給して、前記第ｎの駆動電極のタッチの有無を判断し、前記第１のタッチ電極グループを構成する第ｋの駆動電極に前記第１の駆動電圧を供給し、前記第２のタッチ電極グループを構成する前記第ｋ＋１の駆動電極に前記第２の駆動電圧を供給して、前記第ｋの駆動電極のタッチの有無を判断するタッチ感知部と、を含む、表示装置。
【請求項５】
前記受信電極は、
前記パネルに形成されているゲートラインと並んで形成されていることを特徴とする、請求項４に記載の表示装置 。
【請求項６】
前記タッチ感知部は、
１フレーム期間に含まれている第１のタッチ感知期間乃至第ｋ−１のタッチ感知期間では、前記第１のタッチ電極グループと前記第２のタッチ電極グループの各々で、隣接している第ｎの駆動電極と第ｎ＋１の駆動電極に第１の駆動電圧と第２の駆動電圧をそれぞれ供給し、前記受信電極から受信された感知信号を利用して、第１の駆動電極乃至第ｋ−１の駆動電極でのタッチの有無を判断し、
前記１フレーム期間に含まれているタッチ感知期間のうち、第ｋのタッチ感知期間以後の少なくともいずれか一つのタッチ感知期間では、前記第１のタッチ電極グループを構成する前記第ｋの駆動電極に前記第１の駆動電圧を供給し、前記第２のタッチ電極グループを構成する前記第ｋ＋１の駆動電極に前記第２の駆動電圧を供給して、前記受信電極から受信された感知信号を利用して前記第ｋの駆動電極でのタッチの有無を判断することを特徴とする、請求項４に記載の表示装置。
【請求項７】
前記タッチ感知部は、
前記第ｋのタッチ感知期間以後の少なくともいずれか一つのタッチ感知期間では、前記第ｋの駆動電極に前記第２の駆動電圧を供給し、前記第ｋ＋１の駆動電極に前記第１の駆動電圧を供給して、前記受信電極から受信された感知信号を利用して前記第ｋの駆動電極でのタッチの有無を判断することを特徴とする、請求項６に記載の表示装置。
【請求項８】
前記タッチ感知部は、
１フレーム期間に含まれているタッチ感知期間のうち、第ｋのタッチ感知期間以後の少なくともいずれか一つのタッチ感知期間では、前記第２のタッチ電極グループを構成する前記第２ｋの駆動電極に前記第２の駆動電圧を供給し、前記第２のタッチ電極グループを構成する第２ｋ−１の駆動電極に前記第１の駆動電圧を供給して、前記第２のタッチ電極グループを構成する前記受信電極から受信された感知信号を利用して前記第２ｋの駆動電極のタッチの有無を判断することを特徴とする、請求項４に記載の表示装置 。
【請求項９】
パネルにインセルタイプで形成されたタッチパネルに形成されている受信電極と交差するように形成されており、ｓ個より小さいｋ個の駆動電極のうち、隣接している第ｎ（１より大きくｋより小さい数）の駆動電極と第ｎ＋１の駆動電極にそれぞれ第１の駆動電圧と第２の駆動電圧を供給して、前記第ｎの駆動電極のタッチの有無を判断する段階と、
第ｋの駆動電極に前記第１の駆動電圧を供給し、第ｋ−１の駆動電極に前記第２の駆動電圧を供給して、前記第ｋの駆動電極のタッチの有無を判断する段階と、を含む、表示装置の駆動方法。
【請求項１０】
パネルにインセルタイプで形成されたタッチパネルに形成されている、ｓ個の受信電極及びｋ個の駆動電極が交差するように形成されている第１のタッチ電極グループと、ｓ個の他の受信電極と第ｋ＋１の駆動電極乃至第２ｋの駆動電極が交差するように形成されている第２のタッチ電極グループの各々で、前記駆動電極のうち、隣接している第ｎ（ｎは１より大きくｋより小さい数）の駆動電極と第ｎ＋１の駆動電極に第１の駆動電圧と第２の駆動電圧をそれぞれ供給して前記第ｎの駆動電極のタッチの有無を判断する段階と、
前記第１のタッチ電極グループを構成する第ｋの駆動電極に前記第１の駆動電圧を供給し、前記第２のタッチ電極グループを構成する前記第ｋ＋１の駆動電極に前記第２の駆動電圧を供給して、前記第ｋの駆動電極のタッチの有無を判断する段階と、を含む、表示装置の駆動方法。
【発明の詳細な説明】
【技術分野】
【０００１】
本発明は、表示装置及びその駆動方法に関するものであって、特に、タッチパネルを含む表示装置及びその駆動方法に関するものである。
【背景技術】
【０００２】
タッチパネルは、液晶表示装置（ＬＣＤ：Ｌｉｑｕｉｄ  Ｃｒｙｓｔａｌ  Ｄｉｓｐｌａｙ  Ｄｅｖｉｃｅ）、プラズマ表示装置（ＰＤＰ：Ｐｌａｓｍａ  Ｄｉｓｐｌａｙ  Ｐａｎｅｌ  Ｄｅｖｉｃｅ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ  Ｄｅｖｉｃｅ）、電気泳動表示装置（ＥＰＤ：Ｅｌｅｃｔｒｏｐｈｏｒｅｔｉｃ  Ｄｉｓｐｌａｙ  Ｄｅｖｉｃｅ）などのような表示装置に設けられ、ユーザーが表示装置を見ながら指やペンなどで画面を直接に接触して情報を入力できるようにする、入力装置の一種である。
【０００３】
タッチパネルは、表示装置を構成するパネルと独立的に製造された後、前記パネルの上段面に付着されることができ、前記パネルに一体に形成されることもできる。
【０００４】
例えば、タッチパネルは、映像が表示されるパネルのピクセル内に内在されるインセル（ｉｎ  ｃｅｌｌ）タイプ、前記パネルの上部に形成されるオンセル（ｏｎ  ｃｅｌｌ）タイプ、及び前記パネルと別途に製造された後、前記パネルの上部に合着されるアドオン（ａｄｄ  ｏｎ）タイプなどに区分されることができる。
【０００５】
最近は、デザイン及びスリム化のメリットがあるインセル方式を利用したタッチパネルの適用が拡大されている。即ち、スマートフォン、タブレットＰＣなどのような携帯用端末のスリム化のため、表示装置のパネルの内部にタッチパネルを構成する素子が内蔵される、インセルタイプの表示装置に対する需要が増加している。
【０００６】
図１は、従来のタッチパネルの駆動方法を説明するための例示図であり、図２は、従来のタッチパネルにおいてタッチを感知する方法を説明するための例示図である。
【０００７】
タッチパネルはユーザーによるタッチを感知するためのものであって、抵抗膜方式、静電容量方式などの多様な形態に構成されることができる。以下では、図１を参照して、静電容量方式を利用するタッチパネルを説明する。
【０００８】
以下で説明されるタッチパネル１０は、特に、インセルタイプのタッチパネルであり、駆動電圧が供給され、前記タッチパネル１０が内蔵されるパネルに形成されたゲートラインと並んで形成されている駆動電極ＴＸ、及び前記駆動電圧によって生成された感知信号をタッチ感知部に転送する受信電極ＲＸを含む。前記タッチ感知部は、前記駆動電圧を前記駆動電極ＴＸに供給するための駆動部、及び前記受信電極を通じて受信された前記感知信号を利用してタッチの有無を感知するための受信部を含む。
【０００９】
前記タッチパネル１０を利用した従来の表示装置では、前記タッチパネル１０でのタッチの有無を検出するために、前記駆動電極ＴＸに順次的に前記駆動電圧を供給し、前記各々の駆動電極ＴＸに前記駆動電圧が印加される間、前記全ての受信電極ＲＸを通じて前記感知信号を受信する。
【００１０】
前記感知信号は、前記駆動電圧によって、前記駆動電極ＴＸと前記受信電極ＲＸの間で発生される静電容量であり、前記タッチ感知部は前記静電容量の変化量を分析して、前記タッチパネルでのタッチの有無を判断する。
【００１１】
インセルタイプの表示装置の場合、前記駆動電極ＴＸ及び前記受信電極ＲＸは前記パネルに形成されているピクセルであり、共通電圧を供給する共通電極の機能を有している。
【００１２】
従って、映像出力期間には、前記駆動電極及び前記受信電極が、共通電圧を前記ピクセルに供給する共通電極の役割を有する。また、タッチ感知期間には、前記タッチ感知部が前記駆動電極に駆動電圧を供給し、前記受信電極を通じて受信される感知信号を利用して、前記タッチパネルでのタッチの有無を判断する。
【００１３】
例えば、従来のインセルタイプの表示装置を駆動するためには、１フレーム（１Ｆｒａｍｅ）に対応される期間（以下、簡単に‘１フレーム期間’とする）が、映像出力期間（Ｄｉｓｐｌａｙ）とタッチ感知期間（Ｔｏｕｃｈ）とに分離されている。
【００１４】
この場合、前記映像出力期間には、共通電圧が前記駆動電極ＴＸ及び前記受信電極ＲＸに供給され、前記タッチ感知期間には、パルス形態の駆動電圧が前記駆動電極ＴＸに供給され、前記受信電極ＲＸを通じて前記タッチ感知部に前記感知信号が転送される。
【００１５】
前記のようなインセルタイプの表示装置に適用されるタッチパネルにおいて、前記駆動電極ＴＸ及び前記受信電極ＲＸが同一平面上に形成されており、前記電極の間の距離が近く、前記電極が前記ピクセルの内部に形成されているため、前記駆動電極ＴＸ及び前記受信電極ＲＸの間に発生する寄生静電容量の大きさが大きくなる。
【００１６】
現在、前記タッチパネル１０を利用する表示装置は、スマートフォン、タブレットＰＣ、ノートパソコン、モニターなどのような小型の製品がほとんどである。したがって、前記寄生静電容量がセンシング性能の低下に及ぼす影響は大きくない。
【００１７】
しかし、最近では、大型のテレビ、大型のモニター又は電子黒板などのような大型の表示装置にも前記タッチパネル４０が利用されてきている。このような大型の表示装置の場合、前記寄生静電容量がねずみ算式に増え、これによって前記寄生静電容量（Ｃｐ）が大きくなる。前記寄生静電容量が大きくなると、前記受信電極のロードが大きくなり、これによって前記タッチ感知部６０でのセンシング性能が低下する。即ち、大面積を持つ大型の表示装置に、従来のインセルタイプのタッチパネルがそのまま適用されると、前記寄生静電容量によって、前記受信電極のロードが大きくなり、これによって前記タッチ感知部でのセンシング性能が低下する。
【００１８】
また、差等駆動（ｄｉｆｆｅｒｅｎｔｉａｌ  ｄｒｉｖｉｎｇ）方式を利用する従来のインセルタイプのタッチパネルにおいては、互いに隣接している二つの駆動電極に第１の駆動電圧と第２の駆動電圧をそれぞれ供給した後、受信電極を通じて受信された感知信号を比較し、前記二つの駆動電極のうち、いずれか一つの駆動電極に対するタッチの有無が感知されている。例えば、図１及び図２に示すように、四つの前記駆動電極（ＴＸ１〜ＴＸ４）が前記ゲートラインと並んで前記タッチパネル１０に形成されている場合、前記タッチ感知部は、第１のタッチ感知期間に、第１の駆動電極（ＴＸ１）に第１の駆動電圧を供給し、第２の駆動電極（ＴＸ２）に第２の駆動電圧を供給した後、各々の受信電極から受信される感知信号の大きさを分析し、前記第１の駆動電極でのタッチの有無を判断する。また、前記タッチ感知部は、第３のタッチ感知期間に、第３の駆動電極（ＴＸ３）に第１の駆動電圧を供給し、第４の駆動電極（ＴＸ４）に第２の駆動電圧を供給した後、各々の受信電極から受信される感知信号の大きさを分析し、前記第３の駆動電極でのタッチの有無を判断する。しかし、前記駆動電極のうち、前記タッチパネルの最下段に形成されている最下段の駆動電極（ＴＸ４）に対するタッチの有無を感知する時は、前記最下段の駆動電極（ＴＸ４）の比較対象となる駆動電極が無い。従って、前記最下段の駆動電極（ＴＸ４）に対するタッチの有無の判断のため、図２に示すように、前記タッチパネルの表示領域に形成されていない別途の駆動電極（ＴＸａ）に入力された第２の駆動電圧による感知信号が利用されたり、又は前記最下段の駆動電極（ＴＸ４）と正反対の位置に形成されている最上段の駆動電極（ＴＸ１）に入力された第２の駆動電圧による感知信号が利用されたり、又は任意の感知信号が利用されている。したがって、前記最下段の駆動電極（ＴＸ４）のタッチの有無は不正確に判断されている。
【発明の概要】
【発明が解決しようとする課題】
【００１９】
本発明は、上述した問題点を解決するためのものであって、差等駆動方式を利用して最外郭の駆動電極のタッチの有無を感知する場合、前記最外郭の駆動電極に供給される駆動電圧と、前記最外郭の駆動電極に隣接している他の駆動電極に入力される駆動電圧の順序を変更させる、表示装置及びその駆動方法を提供することを技術的課題としている。
【００２０】
また、本発明は、上述した問題点を解決するためのものであって、差等駆動方式を利用して第１のタッチ電極グループの最外郭の駆動電極のタッチの有無を感知する場合、前記最外郭の駆動電極と隣接し、第２のタッチ電極グループを構成する駆動電極に駆動電圧を供給する、表示装置及びその駆動方法を提供することを技術的課題としている。
【課題を解決するための手段】
【００２１】
上述した目的を達成するための本発明による表示装置は、ｓ個の受信電極及び、前記受信電極と交差するように形成されており、ｓ個より小さいｋ個の駆動電極を含むタッチパネルが、インセルタイプで形成されているパネルと、及び前記駆動電極のうち、隣接している第ｎ（１より大きくｋより小さい数）の駆動電極と第ｎ＋１の駆動電極に第１の駆動電圧と第２の駆動電圧をそれぞれ供給して前記第ｎの駆動電極のタッチの有無を判断し、第ｋの駆動電極に前記第１の駆動電圧を供給し、第ｋ−１の駆動電極に前記第２の駆動電圧を供給して前記第ｋの駆動電極のタッチの有無を判断するタッチ感知部を含む。
【００２２】
上述した目的を達成するための本発明による他の表示装置は、ｓ個の受信電極とｓ個より小さいｋ個の駆動電極が交差するように形成されている第１のタッチ電極グループと、ｓ個の他の受信電極と第ｋ＋１の駆動電極乃至第２ｋの駆動電極が交差するように形成されている第２のタッチ電極グループを含むタッチパネルが、インセルタイプで形成されているパネルと、前記第１のタッチ電極グループと前記第２のタッチ電極グループの各々で、前記駆動電極のうち、隣接している第ｎ（ｎは１より大きくｋより小さい数）の駆動電極と第ｎ＋１の駆動電極に第１の駆動電圧と第２の駆動電圧をそれぞれ供給して前記第ｎの駆動電極のタッチの有無を判断し、前記第１のタッチ電極グループを構成する第ｋの駆動電極に前記第１の駆動電圧を供給し、前記第２のタッチ電極グループを構成する前記第ｋ＋１の駆動電極に前記第２の駆動電圧を供給して前記第ｋの駆動電極のタッチの有無を判断するタッチ感知部と、を含む。
【００２３】
上述した目的を達成するための本発明による表示装置駆動方法は、パネルにインセルタイプで形成されているタッチパネルに形成されている、ｓ個の受信電極及び、前記受信電極と交差するように形成されており、ｓ個より小さいｋ個の駆動電極のうち、隣接している第ｎ（１より大きくｋより小さい数）の駆動電極と第ｎ＋１の駆動電極に第１の駆動電圧と第２の駆動電圧をそれぞれ供給して前記第ｎの駆動電極のタッチの有無を判断する段階、及び第ｋの駆動電極に前記第１の駆動電圧を供給し、第ｋ−１の駆動電極に前記第２の駆動電圧を供給して前記第ｋの駆動電極のタッチの有無を判断する段階を含む。
【００２４】
上述した目的を達成するための本発明による他の表示装置駆動方法は、パネルにインセルタイプで形成されているタッチパネルに形成されている、ｓ個の受信電極とｋ個の駆動電極が交差するように形成されている第１のタッチ電極グループと、ｓ個の他の受信電極と第ｋ＋１の駆動電極乃至第２ｋの駆動電極が交差するように形成されている第２のタッチ電極グループの各々で、前記駆動電極のうち、隣接している第ｎ（ｎは１より大きくｋより小さい数）の駆動電極と第ｎ＋１の駆動電極に第１の駆動電圧と第２の駆動電圧をそれぞれ供給して前記第ｎの駆動電極のタッチの有無を判断する段階、及び前記第１のタッチ電極グループを構成する第ｋの駆動電極に前記第１の駆動電圧を供給し、前記第２のタッチ電極グループを構成する前記第ｋ＋１の駆動電極に前記第２の駆動電圧を供給して前記第ｋの駆動電極のタッチの有無を判断する段階を含む。
【発明の効果】
【００２５】
本発明によれば、パネルのゲートラインと並んで形成されている駆動電極のうち、前記パネルの最下段に形成されている駆動電極に対するタッチ感度を高めることができる。
【００２６】
また、本発明によれば、二つのタッチ電極グループが隣接している境界領域でのタッチ感度を高めることができる。
【００２７】
また、本発明によれば、タッチパネルの寄生静電容量を低減させることができ、これによってタッチ性能を高めることができるため、大面積の表示装置に適用されるパネルにもタッチパネルをインセルタイプで内蔵することができる。
【図面の簡単な説明】
【００２８】
【図１】従来のタッチパネルの駆動方法を説明するための例示図である。
【図２】従来のタッチパネルにおいてタッチを感知する方法を説明するための例示図である。
【図３】本発明による表示装置の一実施例の構成図である。
【図４】本発明の第１の実施例による表示装置に適用されるパネルとタッチ感知部の構成を示す例示図である。
【図５】本発明の第１の実施例による表示装置に適用される駆動電圧の波形を示す例示図である。
【図６】本発明の第１の実施例による表示装置に適用されるタッチ感知部の内部の構成を示す例示図である。
【図７】本発明の第２の実施例による表示装置に適用されるパネルとタッチ感知部の構成を示す例示図である。
【図８】本発明の第２の実施例による表示装置に適用される駆動電圧の波形を示す例示図である。
【図９】本発明の第２の実施例による表示装置に適用されるタッチ感知部の内部の構成を示す例示図である。
【発明を実施するための形態】
【００２９】
以下、添付の図面を参照しながら、本発明の実施例について詳細に説明する。
【００３０】
図３は、本発明による表示装置の一実施例の構成図である。
【００３１】
本発明による表示装置は、図３に示すように、受信電極（ＲＸ１〜ＲＸｓ）と、駆動電極（ＴＸ１〜ＴＸｋ）が交差するように形成されているタッチパネルが、インセルタイプで形成されているパネル１００、１フレーム期間に含まれている複数のタッチ感知期間の間、隣接している二つの駆動電極に第１の駆動電圧と第２の駆動電圧をそれぞれ供給する差等駆動方式を利用して、前記パネルのタッチの有無を判断するタッチ感知部６００、及び前記パネル１００が映像を出力するように前記パネル１００を駆動するパネル駆動部を含む。
【００３２】
前記パネル１００は、液晶パネル、有機発光パネル、プラズマディスプレイパネル、泳動表示パネルなどであることができる。前記パネル１００は、第１の基板と第２の基板とが合着工程を経て合着されたものである。前記第１の基板と前記第２の基板の間には中間層が形成されている。
【００３３】
前記第１の基板と前記第２の基板はガラス（Ｇｌａｓｓ）、プラスチック（Ｐｌａｓｔｉｃ）、金属（Ｍｅｔａｌ）などで製造されることができる。
【００３４】
前記中間層は、本発明による表示装置の種類によって異なる構成を含むことができる。例えば、前記表示装置が液晶表示装置（ＬＣＤ：Ｌｉｑｕｉｄ  Ｃｒｙｓｔａｌ  Ｄｉｓｐｌａｙ  Ｄｅｖｉｃｅ）である場合、前記中間層は液晶（Ｌｉｑｕｉｄ  Ｃｒｙｓｔａｌ）を含むことができる。前記表示装置が有機発光表示装置（ＯＬＥＤ：Ｏｒｇａｎｉｃ  Ｌｉｇｈｔ  Ｅｍｉｔｔｉｎｇ  Ｄｉｓｐｌａｙ  Ｄｅｖｉｃｅ）である場合、前記中間層は光を出力する有機化合物などを含むことができる。前記表示装置がプラズマ表示装置（ＰＤＰ：Ｐｌａｓｍａ Ｄｉｓｐｌａｙ  Ｐａｎｅｌ Ｄｅｖｉｃｅ）である場合、前記中間層は不活性気体などを含むことができる。前記表示装置が泳動表示装置（ＥＰＤ：Ｅｌｅｃｔｒｏｐｈｏｒｅｔｉｃ  Ｄｉｓｐｌａｙ Ｄｅｖｉｃｅ）である場合、前記中間層は電気泳動分散液などを含むことができる。
【００３５】
以下では、説明の便宜上、前記パネル１００が液晶パネルである場合を本発明の一例として説明する。すなわち、本発明は、全てのピクセルに共通電圧を供給する共通電極が形成されている様々な表示装置に適用されることができるが、以下では、液晶表示装置を本発明の一例として説明する。
【００３６】
前記パネル１００が液晶パネルである場合、前記パネル１００は、第１の基板、第２の基板、及び前記第１の基板と第２の基板の間に形成される液晶層を含む。
【００３７】
前記パネル１００の前記第１の基板は、薄膜トランジスタ基板（ＴＦＴ基板）であることができる。前記第１の基板には、多数のデータライン（ＤＬ１〜ＤＬｄ）、前記データラインと交差する多数のゲートライン（ＧＬ１〜ＧＬｄ）、前記データライン（ＤＬ１〜ＤＬｄ）と前記ゲートライン（ＧＬ１〜ＧＬｇ）との交差領域ごとに形成されるピクセルに形成される多数の薄膜トランジスタ（ＴＦＴ：Ｔｈｉｎ  Ｆｉｌｍ  Ｔｒａｎｓｉｓｔｏｒ）、前記ピクセルにデータ電圧を充電させるための多数のピクセル電極などが形成される。即ち、前記データライン（ＤＬ１〜ＤＬｄ）と前記ゲートライン（ＧＬ１〜ＧＬｇ）との交差構造により、ピクセルがマトリックス状に配置される 。
【００３８】
前記パネル１００の前記第２の基板は、カラーフィルタ基板であることができる。前記第２の基板にはブラックマトリックス（ＢＭ）、カラーフィルタなどが形成される。
【００３９】
前記パネル１００には映像が出力される表示領域と、映像が出力されない非表示領域が形成されており、前記データラインと前記ゲートラインとの交差によって形成される前記ピクセルは前記表示領域に形成されている。
【００４０】
前記パネル１００に形成されている前記表示領域と前記非表示領域は、前記タッチパネルの表示領域及び非表示領域と対応される位置に形成されている。
【００４１】
次に、前記タッチパネルは、受信電極（ＲＸ１〜ＲＸｓ）と駆動電極（ＴＸ１〜ＴＸｋ）を含む。
【００４２】
前記タッチパネルは、静電容量方式を利用し、前記パネル１００に内蔵されている。即ち、前記タッチパネルはインセルタイプのタッチパネルである。
【００４３】
前記受信電極（ＲＸ１〜ＲＸｓ）と前記駆動電極（ＴＸ１〜ＴＸｋ）は、互いに垂直に交差するように前記パネル１００に形成されている。
【００４４】
１フレーム（１Ｆｒａｍｅ）に対応される期間（以下、簡単に‘１フレーム期間’とする）中、映像出力期間には、前記受信電極と前記駆動電極とに共通電圧が供給される。１フレーム期間中、タッチ感知期間には、前記駆動電極に第１の駆動電圧又は第２の駆動電圧が順次的に供給され、前記受信電極から感知信号が受信される。
【００４５】
即ち、本発明による表示装置では、１フレーム期間中に、映像出力期間とタッチ感知期間とが、前記横電極の数に対応する回数だけ反復される。
【００４６】
次に、前記タッチ感知部６００は、前記１フレーム期間に含まれている複数のタッチ感知期間の間、前記受信電極から受信された感知信号を利用して前記駆動電極でのタッチの有無を判断する。
【００４７】
このために、前記タッチ感知部６００は、前記駆動電極に第１の駆動電圧又は第２の駆動電圧を出力する駆動部、及び前記受信電極から前記感知信号を受信する受信部を含む。
【００４８】
特に、前記タッチ感知部６００は、従来の技術で説明された差等駆動（ｄｉｆｆｅｒｅｎｔｉａｌ  ｄｒｉｖｉｎｇ）方式を利用して、前記タッチパネルでのタッチの有無を判断する。
【００４９】
例えば、差等駆動（ｄｉｆｆｅｒｅｎｔｉａｌ  ｄｒｉｖｉｎｇ）方式を利用する前記タッチ感知部６００は、互いに隣接している二つの駆動電極に第１の駆動電圧と第２の駆動電圧をそれぞれ供給した後、受信電極を通じて受信された感知信号を比較し、前記二つの駆動電極のうち、いずれか一つの駆動電極に対するタッチの有無を感知する。前記第１の駆動電圧及び第２の駆動電圧として、大きさは同じだが、極性又は位相が異なる二つの電圧が利用されることができる。
【００５０】
最後に、前記パネル駆動部は、図３に示したように、タイミングコントローラ４００、ゲートドライバ２００、及びデータドライバ３００のうち、少なくともいずれか一つを含む。
【００５１】
前記タイミングコントローラ４００は、外部システムからデータイネーブル信号（Ｄａｔａ  Ｅｎａｂｌｅ、ＤＥ）、ドットクロック（ＣＬＫ）等のタイミング信号の入力を受け、前記データドライバ３００と前記ゲートドライバ２００の動作タイミングを制御するための制御信号（ＧＣＳ、ＤＣＳ）を発生する。又、前記タイミングコントローラ４００は、前記外部システムから入力された入力映像データを再整列し、再整列された映像データを前記データドライバ３００に出力する機能を有する。
【００５２】
また、前記タイミングコントローラ４００は、前記データドライバ３００と前記ゲートドライバ２００を制御すると共に、前記タッチ感知部６００の動作タイミングを制御するための制御信号を生成して、前記タッチ感知部６００を制御することもできる。
【００５３】
前記のような機能を有するために、前記タイミングコントローラ４００は、前記外部システムから入力映像データ（Ｉｎｐｕｔ  Ｄａｔａ）及びタイミング信号を受信するための受信部、各種の制御信号を生成するための制御信号生成部、前記入力映像データを再整列し、再整列された映像データ（Ｄａｔａ）を出力するためのデータ整列部、及び前記制御信号と前記映像データを出力するための出力部を含む。
【００５４】
第２、前記データドライバ３００は、前記タイミングコントローラ４００から入力された前記映像データをアナログデータ電圧に変換し、前記ゲートラインにスキャン信号が供給される１水平期間毎に１水平ライン分のデータ電圧を前記データラインに供給する。即ち、前記データドライバ３００は、ガンマ電圧発生部（未図示）から供給されるガンマ電圧を利用して、前記映像データをデータ電圧に変換した後、前記データラインに出力させる。
【００５５】
前記データドライバ３００は、前記タイミングコントローラ４００からのソーススタートパルス（Ｓｏｕｒｃｅ  Ｓｔａｒｔ  Ｐｕｌｓｅ；ＳＳＰ）をソースシフトクロック（Ｓｏｕｒｃｅ  Ｓｈｉｆｔ  Ｃｌｏｃｋ；ＳＳＣ）によってシフトさせてサンプリング信号を発生させる。そして、前記データドライバ３００は、前記ソースシフトクロック（ＳＳＣ）によって入力される前記映像データ（ＲＧＢ）を前記サンプリング信号によってラッチし、前記データ電圧に変更した後、前記ソース出力イネーブル（Ｓｏｕｒｃｅ  Ｏｕｔｐｕｔ  Ｅｎａｂｌｅ；ＳＯＥ）信号に応答して、水平ライン単位で前記データ電圧を前記データラインに供給する。
【００５６】
このために、前記データドライバ３００は、シフトレジスター部、ラッチ部、デジタルアナログ変換部、及び出力バッファー等を含んで構成されることができる。
【００５７】
前記ゲートドライバ２００は、前記タイミングコントローラ４００から転送されたゲートスタートパルス（Ｇａｔｅ  Ｓｔａｒｔ  Ｐｕｌｓｅ；ＧＳＰ）をゲートシフトクロック（Ｇａｔｅ  Ｓｈｉｆｔ  Ｃｌｏｃｋ；ＧＳＣ）によってシフトさせ、順次的に前記ゲートライン（ＧＬ１〜ＧＬｇ）にゲートオン電圧（Ｖｏｎ）を有するスキャン信号を供給する。そして、前記ゲートドライバ２００は、ゲートオン電圧（Ｖｏｎ）のスキャン信号が供給されない残りの期間の間には、ゲートライン（ＧＬ１〜ＧＬｎ）にゲートオフ電圧（Ｖｏｆｆ）を供給する。
【００５８】
本発明に適用される前記ゲートドライバ２００は、前記パネル１００と独立するように形成されて、多様な方式で前記パネル１００と電気的に連結されることができる形態に構成されることができるが、前記パネル１００内に実装されているゲートインパネル（Ｇａｔｅ  Ｉｎ  Ｐａｎｅｌ：ＧＩＰ）方式で構成されることもできる。
【００５９】
また、前記説明では、前記データドライバ３００、前記ゲートドライバ２００、及び前記タイミングコントローラ４００が独立的に構成されたものと説明されたが、前記データドライバ３００又は前記ゲートドライバ２００のうち、少なくとも一つは前記タイミングコントローラ４００と一体に構成されることもできる。
【００６０】
以下では、図４を参照して、本発明の第１の実施例による表示装置及びその駆動方法を詳細に説明する。
【００６１】
図４は、本発明の第１の実施例による表示装置に適用されるパネルとタッチ感知部の構成を示す例示図である。また、図５は、本発明の第１の実施例による表示装置に適用される駆動電圧の波形を示す例示図である。また、図６は、本発明の第１の実施例による表示装置に適用されるタッチ感知部の内部の構成を示す例示図である。
【００６２】
本発明の第１の実施例による表示装置は、図４に示したように、ｓ個の受信電極１２１（ＲＸ１〜ＲＸｓ）、及び、前記受信電極１２１と交差するように形成されており、ｓ個より小さいｋ個の駆動電極１１１（ＴＸ１〜ＴＸｋ）を含むタッチパネルが、インセルタイプで形成されているパネル１００、前記駆動電極１１１のうち、隣接している第ｎ（１より大きくｋより小さい数）の駆動電極と第ｎ＋１の駆動電極に第１の駆動電圧（ＤＶ１）と第２の駆動電圧（ＤＶ２）を供給して前記第ｎの駆動電極のタッチの有無を判断し、第ｋの駆動電極（ＴＸｋ）に前記第１の駆動電圧（ＤＶ１）を供給し、第ｋ−１の駆動電極（ＴＸｋ−１）に前記第２の駆動電圧（ＤＶ２）を供給して前記第ｋの駆動電極（ＴＸｋ）のタッチの有無を判断するタッチ感知部６００、及び、前記パネル１００が映像を出力するように前記パネル１００を駆動するパネル駆動部２００、３００、４００を含む。前記パネル駆動部２００、３００、４００の構成は上述の通りであるので、これに対する詳細な説明は省略する。
【００６３】
前記パネル１００には、図４に示したように、前記ゲートライン（ＧＬ１〜ＧＬｇ）と並んで形成されているｓ個の受信電極１２１（ＲＸ１〜ＲＸｓ）と、ｓ個より小さいｋ個の駆動電極１１１（ＴＸ１〜ＴＸｋ）とが交差するように形成されている。
【００６４】
ここで、前記駆動電極（ＴＸ１〜ＴＸｋ）は、前記パネルに形成されているゲートライン（ＧＬ１〜ＧＬｇ）と並んで形成されている。即ち、前記駆動電極（ＴＸ１〜ＴＸｋ）は、図４に示すように、前記パネル１００の横方向に形成されている。
【００６５】
以下の説明において、具体的な例が必要である場合、前記受信電極１２１の数であるｓは２７であり、前記駆動電極１１１の数であるｋは２４である場合を一例として本発明が説明される。
【００６６】
１フレーム期間では、映像出力期間とタッチ感知期間が反復される。
【００６７】
映像出力期間では、前記駆動電極１１１及び前記受信電極１２１に、共通電圧が供給される。この場合、前記駆動電極１１１及び前記受信電極１２１は共通電極の機能を有する。
【００６８】
前記タッチ感知期間の各々では、図５に示したように、前記タッチ感知部６００が隣接している二つの駆動電極１１１に、第１の駆動電圧（ＤＶ１）及び第２の駆動電圧（ＤＶ２）を供給した後、前記受信電極から受信される感知信号を分析し、前記二つの駆動電極のうち、前記第１の駆動電圧（ＤＶ１）が供給される駆動電極でのタッチの有無を判断する。
【００６９】
例えば、前記タッチ感知部６００は、前記駆動電極１１１のうち、隣接している第ｎ（１より大きくｋより小さい数）の駆動電極と第ｎ＋１の駆動電極に、第１の駆動電圧（ＤＶ１）と第２の駆動電圧（ＤＶ２）を供給して、前記第ｎの駆動電極のタッチの有無を判断し、第ｋの駆動電極（ＴＸｋ）に前記第１の駆動電圧（ＤＶ１）を供給し、第ｋ−１の駆動電極（ＴＸｋ−１）に前記第２の駆動電圧（ＤＶ２）を供給して、前記第ｋの駆動電極（ＴＸｋ）のタッチの有無を判断する。ここで、前記ｎは、１より大きくｋより小さい自然数である。
【００７０】
図５を参照すると、前記ｎが３である場合、前記タッチ感知部６００は、第３のタッチ感知期間（Ｔｏｕｃｈ  ＃３）に、第３の駆動電極（ＴＸ３）に前記第１の駆動電圧（ＤＶ１）を供給し、第４の駆動電極（ＴＸ４）に前記第２の駆動電圧（ＤＶ２）を供給する。
【００７１】
前記タッチ感知部６００は、前記第１の駆動電圧（ＤＶ１）と前記第２の駆動電圧（ＤＶ２）によって、第１の受信電極（ＲＸ１）乃至第２７の受信電極（ＲＸ２７）に受信された感知信号を分析し、前記第３の駆動電極（ＴＸ３）でのタッチの有無を判断する。例えば、前記第１の駆動電圧と前記第２の駆動電圧として、大きさは同じで、極性は異なる二つの電圧が利用される場合、前記第３の駆動電極（ＴＸ３）にタッチが無いと、前記二つの電圧によって受信された感知信号の大きさ又は波形等は、全ての受信電極で同一であるか、または一定の範囲内に含まれる。しかし、前記第３の駆動電極（ＴＸ３）がタッチされると、前記受信電極のうち、前記タッチされた領域に形成された受信電極に受信された感知信号は、他の受信電極と異なる値を有することになる。従って、前記タッチ感知部６００は、前記感知信号の変化量を分析して、前記第３の駆動電極（ＴＸ３）でのタッチの有無を判断することができる。
【００７２】
この場合、第１の駆動電極（ＴＸ１）乃至第２３の駆動電極（ＴＸ２３）までは、上述されたような方法を通じて、タッチの有無が判断されることができる。
【００７３】
前記のような方法によって、第１のタッチ感知期間（Ｔｏｕｃｈ  ＃１）乃至第２３のタッチ感知期間（Ｔｏｕｃｈ  ＃２３）の間、第１の駆動電極（ＴＸ１）乃至第２３の駆動電極（ＴＸ２３）に対するタッチの有無が判断される。
【００７４】
しかし、既に説明したように、従来の技術によると、最後の駆動電極である第２４の駆動電極（ＴＸ２４）でのタッチの有無を判断する場合、前記第２の駆動電圧が供給される駆動電圧が無い。従って、従来には、前記タッチパネルの非表示領域に形成されている別途の駆動電極に印加された第２の駆動電圧によって受信された感知信号、又は第１の駆動電極（ＴＸ１）に印加された第２の駆動電圧によって受信された感知信号、又は仮想のデータが、前記第２の駆動電圧による感知信号として利用されていた。従って、前記第２４の駆動電極（ＴＸ２４）に対するタッチの有無は正確に判断されなかった。
【００７５】
本発明では、前記第２４の駆動電極（ＴＸ２４）に対するより正確なタッチの有無を判断するために、前記第２４の駆動電極（ＴＸ２４）でのタッチの有無が判断される第２４のタッチ感知期間（Ｔｏｕｃｈ  ＃２４）では、前記タッチ感知部６００が、図５に示したように、第２４の駆動電極（ＴＸ２４  ＝  ＴＸｋ）に前記第１の駆動電圧（ＤＶ１）を供給し、第２３の駆動電極（ＴＸ２３  ＝  ＴＸｋ−１）に前記第２の駆動電圧（ＤＶ２）を供給する。
【００７６】
前記タッチ感知部６００は、前記第１の駆動電圧と前記第２の駆動電圧によって、前記受信電極から受信される感知信号を分析し、前記第２４の駆動電極でのタッチの有無を判断する。
【００７７】
従って、前記第２４の駆動電極に対しても、正確なタッチの有無を判断することができる。
【００７８】
前記で説明された内容を整理すると次の通りである。
【００７９】
前記タッチ感知部６００は、１フレーム期間に含まれている第１のタッチ感知期間（Ｔｏｕｃｈ  ＃１）乃至第ｋ−１のタッチ感知期間（Ｔｏｕｃｈ  ＃ｋ−１）では、隣接している前記第ｎの駆動電極と前記第ｎ＋１の駆動電極に第１の駆動電圧と第２の駆動電圧をそれぞれ供給し、前記受信電極から受信された感知信号を利用して、第１の駆動電極乃至第ｋ−１の駆動電極でのタッチの有無を判断する。
【００８０】
例えば、前記タッチ感知部６００は、第１のタッチ感知期間から第２３のタッチ感知期間の各々で、 隣接しいる第ｎの駆動電極に第１の駆動電圧（ＤＶ１）を供給し、第ｎ＋１の駆動電極に第２の駆動電圧（ＤＶ２）を供給した後、前記受信電極を通じて受信された感知信号を利用して、前記第ｎの駆動電極でのタッチの有無を判断する。
【００８１】
前記タッチ感知部６００は、第ｋのタッチ感知期間では、第ｋの駆動電極に前記第１の駆動電圧を供給し、前記第ｋ−１の駆動電極に前記第２の駆動電圧を供給して、前記受信電極から受信された感知信号を利用して前記第ｋの駆動電極でのタッチの有無を判断する。
【００８２】
例えば、前記タッチ感知部は、第２４のタッチ感知期間では、第２４の駆動電極に前記第１の駆動電圧を供給し、第２３の駆動電極に前記第２の駆動電圧を供給した後、前記受信電極から受信された感知信号を利用して、前記第２４の駆動電極でのタッチの有無を判断する。
【００８３】
前記のような機能を有するために、前記タッチ感知部６００は、図６（ａ）に示したように、前記第１の駆動電圧と前記第２の駆動電圧を生成する駆動部６１０、及び前記感知信号を受信して各々の駆動電極及び受信電極でのタッチの有無を判断する受信部６２０を含む。
【００８４】
前記駆動部６１０は、前記第１の駆動電圧を生成する第１の駆動電圧生成部６１１、前記第２の駆動電圧を生成する第２の駆動電圧生成部６１２、第１の制御信号（ＣＳ１）によって前記第１の駆動電圧生成部と前記第２の駆動電圧生成部とを前記駆動電極に連結させる連結部６１３、及び第２の制御信号（ＣＳ２）によって第ｋの駆動電極（ＴＸｋ）に前記第１の駆動電圧を供給し、第ｋ−１の駆動電極（ＴＸｋ−１）に前記第２の駆動電圧を供給するためのスイッチング部６３０を含む。
【００８５】
前記連結部６１３は、前記タイミングコントローラ４００又は前記タッチ感知部６００の内部で生成された前記第１の制御信号によって、前記第１の駆動電圧生成部６１１及び前記第２の駆動電圧生成部６１２を前記スイッチング部６３０に連結させたり、又は前記スイッチング部６３０から遮断させる。
【００８６】
例えば、前記第１の制御信号（ＣＳ１）が前記映像出力期間であることを知らせる信号である場合、前記連結部６１３は、前記第１の駆動電圧生成部６１１及び前記第２の駆動電圧生成部６１２と前記スイッチング部６３０との間の連結を遮断する。
【００８７】
前記第１の制御信号（ＣＳ１）が前記タッチ感知期間であることを知らせる信号である場合、前記連結部６１３は、前記第１の駆動電圧生成部６１１及び前記第２の駆動電圧生成部６１２と前記スイッチング部６３０との間を連結させる。
【００８８】
前記スイッチング部６３０は、前記タイミングコントローラ４００又は前記タッチ感知部６００の内部で生成された前記第２の制御信号が第ｋ−１のタッチ感知期間であることを知らせる信号である場合、図６（ｂ）に示したように、第ｋ−１の駆動電極（ＴＸｋ−１）に前記第１の駆動電圧が供給されることができるように、前記第ｋ−１の駆動電極（ＴＸｋ−１）を前記第１の駆動電圧生成部６１１と連結させ、前記第ｋの駆動電極（ＴＸｋ）に前記第２の駆動電圧が供給されることができるように、前記第ｋの駆動電極（ＴＸｋ）を前記第２の駆動電圧生成部６１２と連結させる。
【００８９】
前記第２の制御信号が第ｋのタッチ感知期間であることを知らせる信号である場合、図６（ｃ）に示したように、前記スイッチング部６３０は、第ｋ−１の駆動電極（ＴＸｋ−１）に前記第２の駆動電圧（ＤＶ２）が供給されることができるように、前記第ｋ−１の駆動電極（ＴＸｋ−１）を前記第２の駆動電圧生成部６１２と連結させ、前記第ｋの駆動電極（ＴＸｋ）に前記第１の駆動電圧（ＤＶ１）が供給されることができるように、前記第ｋの駆動電極（ＴＸｋ）を前記第１の駆動電圧生成部６１１と連結させる。
【００９０】
前記のような動作を行うために、図６（ａ）〜（ｃ）に示したように、前記スイッチング部６３０のうち、前記第１の駆動電圧生成部６１１と連結されているラインには第１のスイッチスイッチ６３１が形成されており、前記第２の駆動電圧生成部６１２と連結されているラインには第２のスイッチ６３２が形成されている。
【００９１】
これまででは、前記駆動電極（ＴＸ１〜ＴＸｋ）が、前記パネルに形成されているゲートライン（ＧＬ１〜ＧＬｇ）と並んで形成されている場合を一例として、本発明の第１の実施例が説明された。しかし、前記駆動電極は、前記ゲートラインと垂直に形成されることもでき、この場合、前記受信電極が前記ゲートラインと並んで形成されることができる。前記駆動電極が前記ゲートラインと垂直に形成される場合、前記駆動電極の数（ｋ）は、前記受信電極の数（ｓ）と同じまたはより少なく形成されることができる。
【００９２】
以下では、図７〜図９を参照して、本発明の第２の実施例による表示装置及びその駆動方法を詳細に説明する。
【００９３】
図７は、本発明の第２の実施例による表示装置に適用されるパネルとタッチ感知部の構成を示す例示図である。また図８は、本発明の第２の実施例による表示装置に適用される駆動電圧の波形を示す例示図である。また、図９は、本発明の第２の実施例による表示装置に適用されるタッチ感知部の内部の構成を示す例示図である。以下の説明において、上述した内容と同一または類似の内容は省略するか、又は簡単に説明する。特に、前記パネル駆動部２００、３００、４００の構成は上述したため、これに対する詳細な説明は省略する。
【００９４】
本発明の第２の実施例による表示装置は、図７に示すように、ｓ個の受信電極（ＲＸ＿Ｌ１〜ＲＸ＿Ｌｓ）と、ｓ個より小さいｋ個の駆動電極（ＴＸ１〜ＴＸｋ）が交差するように形成されている第１のタッチ電極グループ（ＴＧ１）と、ｓ個の他の受信電極（ＲＸ＿Ｒ１〜ＲＸ＿Ｒｓ）と第ｋ＋１の駆動電極乃至第２ｋの駆動電極（ＴＸｋ＋１〜ＴＸ２ｋ）が交差するように形成されている第２のタッチ電極グループ（ＴＧ２）を含むタッチパネルが、インセルタイプで形成されているパネル１００と、前記第１のタッチ電極グループ（ＴＧ１）と前記第２のタッチ電極グループ（ＴＧ２）の各々で、前記駆動電極のうち、隣接している第ｎ（１より大きくｋより小さい数）の駆動電極と第ｎ＋１の駆動電極に第１の駆動電圧（ＤＶ１）と第２の駆動電圧（ＤＶ２）を供給して、前記第ｎの駆動電極のタッチの有無を判断し、前記第１のタッチ電極グループ（ＴＧ１）を構成する第ｋの駆動電極（ＴＸｋ）に前記第１の駆動電圧（ＤＶ１）を供給し、前記第２のタッチ電極グループ（ＴＧ２）を構成する前記第ｋ＋１の駆動電極（ＴＸｋ＋１）に前記第２の駆動電圧（ＤＶ２）を供給して、前記第ｋの駆動電極（ＴＸｋ）のタッチの有無を判断するタッチ感知部６００、及び前記パネル１００が映像を出力するように前記パネル１００を駆動するパネル駆動部２００、３００、４００を含む。
【００９５】
即ち、本発明の第２の実施例による表示装置に適用される前記パネル１００には、図７に示したように、前記ゲートラインの一側方向（図７では左側方向）において、前記ゲートラインと並んで形成されているｓ個の受信電極（ＲＸ＿Ｌ１〜ＲＸ＿Ｌｓ）と、ｓ個より小さいｋ個の駆動電極（ＴＸ１〜ＴＸ２ｋ）が交差するように形成されている第１のタッチ電極グループ（ＴＧ１）、及び前記ゲートラインの他側方向（図７では右側方向）において、前記ゲートラインと並んで形成されているｓ個の異なる横電極（ＲＸ＿Ｒ１〜ＲＸ＿Ｒｓ）と、ｋ個の異なる縦電極（ＴＸｋ＋１〜ＴＸ２ｋ）が交差するように形成されている第２のタッチ電極グループ（ＴＧ２）を含む。以下の説明において、具体的な例が必要な場合、前記二つのタッチ電極グループの各々に形成されている前記受信電極の数であるｓは２７であり、前記駆動電極１１１の数であるｋは２４である場合を一例として本発明が説明される。
【００９６】
本発明の第２の実施例に適用される前記パネル１００では、前記パネルの長軸（図７では横軸）が二等分されていて、前記長軸の一側（図７では左側）には前記第１のタッチ電極グループ（ＴＧ１）が形成されており、前記長軸の他側（図７では右側）には前記第２のタッチ電極グループ（ＴＧ２）が形成されている。
【００９７】
この場合、実質的に前記横電極の長さが短くなる効果がある。従来の技術では、図４に示されたパネル１００の左右の幅が大きくなり、前記横電極の長さが長くなると、前記パネル１００の内部で発生する寄生静電容量によって、前記受信電極のロードが大きくなり、これによって、前記タッチ感知部６００でのセンシング性能が低下する。
【００９８】
これを防止するために、本発明は、横軸の長さが長くなる大面積パネルでは、図７に示すように、前記受信電極が前記横軸の方向に二等分されており、二等分された各々の受信電極を、異なるタッチ電極グループに含めている。この場合、前記タッチ感知部６００は、前記二つのタッチ電極グループ（ＴＧ１、ＴＧ２）を、別個に駆動させることができ、また互いに連動するように駆動させることもできる。
【００９９】
本発明の第２の実施例による表示装置及びその駆動方法において、前記タッチ感知部６００は、図８に示すように、１フレーム期間に含まれている第１のタッチ感知期間（Ｔｏｕｃｈ  ＃１）乃至第ｋ−１のタッチ感知期間（Ｔｏｕｃｈ  ＃ｋ−１）では、前記第１のタッチ電極グループ（ＴＧ１）と前記第２のタッチ電極グループ（ＴＧ２）の各々で、隣接している第ｎの駆動電極と第ｎ＋１の駆動電極に第１の駆動電圧（ＤＶ１）と第２の駆動電圧（ＤＶ２）を供給し、前記受信電極から受信された感知信号を利用して、第１の駆動電極（ＴＸ１）乃至第ｋ−１の駆動電極（ＴＸｋ−１）でのタッチの有無を判断する。
【０１００】
前記第１のタッチ感知期間（Ｔｏｕｃｈ  ＃１）乃至前記第ｋ−１のタッチ感知期間（Ｔｏｕｃｈ  ＃ｋ−１）の間の前記タッチ感知部６００の動作方法は、本発明の第１の実施例で説明された前記第１のタッチ感知期間（Ｔｏｕｃｈ  ＃１）乃至前記第ｋ−１のタッチ感知期間（Ｔｏｕｃｈ  ＃ｋ−１）の間の前記タッチ感知部６００の動作方法と同一である。
【０１０１】
例えば、前記タッチ感知部６００は、前記駆動電極のうち、隣接している第ｎ（１より大きくｋより小さい数）の駆動電極と第ｎ＋１の駆動電極に第１の駆動電圧（ＤＶ１）と第２の駆動電圧（ＤＶ２）を供給して、前記第ｎの駆動電極のタッチの有無を判断する。
【０１０２】
より具体的な例として、前記ｎが３である場合、前記タッチ感知部６００は、第３のタッチ感知期間（Ｔｏｕｃｈ  ＃３）に、第３の駆動電極（ＴＸ３）に前記第１の駆動電圧（ＤＶ１）を供給し、第４の駆動電極（ＴＸ４）に前記第２の駆動電圧（ＤＶ２）を供給する。
【０１０３】
前記タッチ感知部６００は、前記第１の駆動電圧（ＤＶ１）と前記第２の駆動電圧（ＤＶ２）によって、第１の受信電極（ＲＸ１）乃至第２７の受信電極（ＲＸ２７）に受信された感知信号を分析し、前記第３の駆動電極（ＴＸ３）でのタッチの有無を判断する。例えば、前記第１の駆動電圧と前記第２の駆動電圧として、大きさは同じで、極性は異なる二つの電圧が利用される場合、前記第３の駆動電極（ＴＸ３）にタッチが無いと、前記二つの電圧によって受信された感知信号の大きさ又は波形等は、全ての受信電極で同一であるか、または一定の範囲内に含まれる。しかし、前記第３の駆動電極（ＴＸ３）がタッチされると、前記受信電極のうち、前記タッチが起きた領域に形成された受信電極に受信された感知信号は他の受信電極と異なる値を有することになる。従って、前記タッチ感知部６００は、前記感知信号の変化量を分析して前記第３の駆動電極（ＴＸ３）でのタッチの有無を判断することができる。
【０１０４】
この場合、第１の駆動電極（ＴＸ１）乃至第２３の駆動電極（ＴＸ２３）までは、上述したような方法を通じて、タッチの有無が判断されることができる。
【０１０５】
上述したような方法によって、第１のタッチ感知期間（Ｔｏｕｃｈ  ＃１）乃至第２３のタッチ感知期間（Ｔｏｕｃｈ  ＃２３）の間、前記第１のタッチ電極グループ（ＴＧ１）の第１の駆動電極（ＴＸ１）乃至第２３の駆動電極（ＴＸ２３）と、前記第２のタッチ電極グループ（ＴＧ２）の第２４の駆動電極（ＴＸ２４）乃至第４７の駆動電極（ＴＸ４７）に対するタッチの有無が判断される。
【０１０６】
しかし、第１の実施例でも説明されたように、従来の技術によると、第４８のタッチ感知期間（Ｔｏｕｃｈ  ＃４８）に、各タッチ電極グループ（ＴＧ１、ＴＧ２）で、最後の駆動電極である第２４の駆動電極（ＴＸ２４）及び第４８の駆動電極（ＴＸ４８）でのタッチの有無を判断する場合、前記第２の駆動電圧に供給される駆動電圧が無い。従って、従来では、前記タッチパネルの非表示領域に形成されている別途の駆動電極に印加された第２の駆動電圧によって受信された感知信号、又は第１の駆動電極（ＴＸ１）に印加された第２の駆動電圧によって受信された感知信号、又は仮想のデータが、前記第２の駆動電圧による感知信号として利用されていた。従って、前記第２４の駆動電極（ＴＸ２４）に対するタッチの有無は正確に判断されなかった。
【０１０７】
本発明では、前記第１のタッチ電極グループ（ＴＧ１）と前記第２のタッチ電極グループ（ＴＧ２）境界に位置されており、前記第１のタッチ電極グループ（ＴＧ１）を構成する前記第２４の駆動電極（ＴＸ２４）に対する、より正確なタッチの有無を判断するために、前記タッチ感知部６００が、前記１フレーム期間に含まれているタッチ感知期間のうち、第ｋのタッチ感知期間以後の少なくともいずれか一つのタッチ感知期間には、前記第１のタッチ電極グループ（ＴＧ１）を構成する前記第ｋの駆動電極（ＴＸｋ）に前記第１の駆動電圧を供給し、前記第２のタッチ電極グループ（ＴＧ２）を構成する前記第ｋ＋１の駆動電極（ＴＸｋ＋１）に前記第２の駆動電圧を供給して、前記受信電極から受信された感知信号を利用して前記第ｋの駆動電極（ＴＸｋ）でのタッチの有無を判断する。
【０１０８】
例えば、図８に示したように、第２４のタッチ感知期間（Ｔｏｕｃｈ  ＃２４）では、前記第１のタッチ電極グループ（ＴＧ１）を構成する前記第２４の駆動電極（ＴＸ２４）及び前記第２のタッチ電極グループ（ＴＧ２）を構成する前記第４８の駆動電極（ＴＸ４８）に前記第１の駆動電圧が供給される。
【０１０９】
第２５のタッチ感知期間（Ｔｏｕｃｈ  ＃２５）では、前記第１のタッチ電極グループ（ＴＧ１）を構成する前記第２４の駆動電極（ＴＸ２４）に前記第１の駆動電圧（ＤＶ１）が供給され、前記第２のタッチ電極グループ（ＴＧ２）を構成する前記第２５の駆動電極（ＴＸ２５）に前記第２の駆動電圧（ＤＶ２）が供給されて、前記タッチ感知部６００は、前記受信電極から受信される感知信号を利用して前記第２５の駆動電極（ＴＸ２５）でのタッチの有無を判断する。
【０１１０】
従って、前記第２４の駆動電極に対しても、正確なタッチの有無を判断することができる。
【０１１１】
しかし、前記第２４の駆動電極（ＴＸ２４）と前記第２５の駆動電極（ＴＸ２５）は、異なるタッチ電極グループに含まれている。従って、前記第２４の駆動電極（ＴＸ２４）と連結されている受信電極（ＲＸ＿Ｌ１〜ＴＸ＿Ｌｓ）と、前記第２５の駆動電極（ＴＸ２５）と連結されている受信電極（ＲＸ＿Ｒ１〜ＴＸ＿Ｒｓ）とは、互いに異なる。
【０１１２】
従って、前記第２５のタッチ感知期間（Ｔｏｕｃｈ  ＃２５）に判断された、前記第２４の駆動電極（ＴＸ２４）のタッチの有無に誤差が発生することもある。
【０１１３】
このような誤差を防止するために、前記タッチ感知部６００は、図８に示すように、第２６のタッチ感知期間（Ｔｏｕｃｈ  ＃２６）では、前記第２４の駆動電極（ＴＸ２４）に前記第２の駆動電圧（ＤＶ２）を供給し、前記第２５の駆動電極（ＴＸ２５）に前記第１の駆動電圧（ＤＶ１）を供給した後、前記受信電極から受信された感知信号を利用して、前記第２４の駆動電極（ＴＸ２４）でのタッチの有無を判断することができる。
【０１１４】
この場合、前記タッチ感知部６００は、前記第２５のタッチ感知期間（Ｔｏｕｃｈ  ＃２５）に判断された値と、前記第２６のタッチ感知期間（Ｔｏｕｃｈ  ＃２６）に判断された二つの値を利用して、最終的に前記第２４の駆動電極（ＴＸ２４）でのタッチの有無を判断することができる。
【０１１５】
敷衍して説明すると、前記タッチ感知部６００は、前記第ｋのタッチ感知期間以後の少なくともいずれか一つのタッチ感知期間（例えば、第２６のタッチ感知期間（Ｔｏｕｃｈ  ＃２６））では、前記第ｋの駆動電極（ＴＸｋ）に前記第２の駆動電圧（ＤＶ２）を供給し、前記第ｋ＋１の駆動電極（ＴＸｋ＋１）に前記第１の駆動電圧（ＤＶ１）を供給して、前記受信電極から受信された感知信号を利用して前記第ｋの駆動電極（ＴＸｋ）でのタッチの有無を判断することができる。
【０１１６】
上述したように、前記第２５のタッチ感知期間及び前記第２６のタッチ感知期間において、前記第２４の駆動電極及び前記第２５の駆動電極に供給される駆動電圧の位相を互いに異なるようにした後、判断された情報を利用して、最終的に前記第２４の駆動電極（ＴＸ２４）でのタッチの有無を判断することによって、前記第１のタッチ電極グループ（ＴＧ１）及び前記第２のタッチ電極グループ（ＴＧ２）で発生するオフセット（Ｏｆｆｓｅｔ）を減らすことができる。
【０１１７】
また、前記タッチ感知部６００は、１フレーム期間に含まれているタッチ感知期間のうち、第ｋのタッチ感知期間以後の少なくともいずれか一つのタッチ感知期間では、前記第２のタッチ電極グループ（ＴＧ２）を構成する前記第２ｋの駆動電極（ＴＸ２ｋ）に前記第２の駆動電圧（ＤＶ２）を供給し、前記第２のタッチ電極グループ（ＴＧ２）を構成する第２ｋ−１の駆動電極（ＴＸ２ｋ−１）に前記第１の駆動電圧（ＤＶ１）を供給して、前記第２のタッチ電極グループ（ＴＧ２）を構成する前記受信電極から受信された感知信号を利用して、前記第２ｋの駆動電極（ＴＸ２ｋ）のタッチの有無を判断することができる。
【０１１８】
例えば、前記第２４のタッチ感知期間（Ｔｏｕｃｈ  ＃２４）での、前記第２のタッチ電極グループ（ＴＧ２）を構成する前記第４８の駆動電極（ＴＸ４８  ＝  ＴＸ２ｋ）に対するタッチの有無は、前記第２４の駆動電極（ＴＸ２４）に対するタッチの有無と同様に、正確でない可能性がある。
【０１１９】
この場合、前記第２４の駆動電極（ＴＸ２４）のタッチの有無は、前記第２５のタッチ感知期間（Ｔｏｕｃｈ  ＃２５）及び前記第２６のタッチ感知期間（Ｔｏｕｃｈ  ＃２６）での追加的な判断により正確に判断することができる。しかし、前記第４８の駆動電極（ＴＸ）に対しては、前記第２４の駆動電極（ＴＸ２４）に対して行われた方法を適用することができない。
【０１２０】
従って、前記タッチ感知部６００は、本発明の第２の実施例に適用される前記第４８の駆動電極に対しては、本発明の第１の実施例に適用される方法を利用して、タッチの有無を判断する。
【０１２１】
即ち、前記タッチ感知部６００は、前記１フレーム期間に含まれているタッチ感知期間のうち、第ｋのタッチ感知期間以後の少なくともいずれか一つのタッチ感知期間、例えば、図８では第２７のタッチ感知期間（Ｔｏｕｃｈ  ＃２７）では前記第２のタッチ電極グループ（ＴＧ２）を構成する第４８の駆動電極（ＴＸ４８）に前記第２の駆動電圧（ＤＶ２）を供給し、前記第２のタッチ電極グループ（ＴＧ２）を構成する第４７の駆動電極（ＴＸ４７）に前記第１の駆動電圧（ＤＶ１）を供給して、前記第２のタッチ電極グループ（ＴＧ２）を構成する前記受信電極から受信された感知信号を利用して、前記第４８の駆動電極（ＴＸ４８）のタッチの有無を判断することができる。
【０１２２】
前記のような過程により、前記第１のタッチ電極グループ（ＴＧ１）及び前記第２のタッチ電極グループ（ＴＧ２）を構成する全ての駆動電極のタッチの有無を正確に判断することができる。
【０１２３】
上述した本発明を整理すると次の通りである。
【０１２４】
前記第１のタッチ電極グループ（ＴＧ１）を構成する前記受信電極の数及び前記駆動電極の数は、前記第２のタッチ電極グループ（ＴＧ２）を構成する前記受信電極の数及び前記駆動電極の数と同一である。この場合、各々のタッチ電極グループにおいて、前記受信電極の数ｓは、前記駆動電極の数ｋより多い。
【０１２５】
本発明では、ｓ−ｋに対応する数のタッチ感知期間の間、前記第１のタッチ電極グループ（ＴＧ１）と前記第２のタッチ電極グループ（ＴＧ２）の間に形成されており、前記第１のタッチ電極グループ（ＴＧ１）を構成する第ｋの駆動電極（ＴＸｋ）に対する追加的なタッチの有無を判断することができる。また、前記第２のタッチ電極グループ（ＴＧ２）を構成する第２ｋの駆動電極（ＴＸ２ｋ）に対しても追加的なタッチの有無を判断することができる。
【０１２６】
例えば、ｓが３０であり、ｋが２４である場合、計６回のタッチ感知期間が余分に残る。
【０１２７】
従って、前記タッチ感知部６００は、前記６回の残余タッチ感知期間の間、第ｋの駆動電極（ＴＸｋ）に対して、前記の方法を利用して追加的なタッチの有無を判断することができる。この場合、第２４のタッチ感知期間（Ｔｏｕｃｈ  ＃２４）で、前記第２４の駆動電極に第１の駆動電圧を供給し、前記第２５の駆動電極に第２の駆動電圧を供給して、前記第２４の駆動電極に対するタッチの有無を判断することができる。しかし、前記第２４のタッチ感知期間には、前記第４８の駆動電極に前記第１の駆動電圧が供給されなければならないため、実質的に前記第２４の駆動電極のタッチの有無の判断は、前記第２５のタッチ感知期間に行われることができる。
【０１２８】
しかし、前記第４８の駆動電極のタッチの有無の判断が、前記で説明された追加的な方法によって行われる場合、前記第２４の駆動電極に対するタッチの有無の判断は、前記第２４のタッチ感知期間で行われることもできる。
【０１２９】
また、前記第２４の駆動電極でのタッチの有無の判断の正確度を高めるために、前記第２４の駆動電極に前記第２の駆動電圧が供給され、前記第２５の駆動電極に前記第１の駆動電圧が供給される過程が追加的に行われることができる。
【０１３０】
また、前記タッチ感知部６００は、上述したように、前記６回の残りのタッチ感知期間のうち、前記第２４の駆動電極のタッチの有無を追加的に判断した後、前記第４８の駆動電極のタッチの有無を追加的に判断することもできる。
【０１３１】
また、前記タッチ感知部６００は、余分のタッチ感知期間の間、前記第２４の駆動電極及び前記第４８の駆動電極以外にも、追加的にタッチの有無を判断する必要がある駆動電極に対して、追加的なタッチの有無の判断過程を行うこともできる。
【０１３２】
この場合、前記余分のタッチ感知期間の間、追加的にタッチの有無が判断される駆動電極に対する情報は、前記タッチ感知部６００又は前記タイミングコントローラ４００に格納されることができる。
【０１３３】
即ち、前記タッチ感知部６００は、前記タッチ感知部６００又は前記タイミングコントローラ４００に格納されている前記情報から、追加的にタッチの有無を判断する駆動電極に対する情報を収集した後、余分のタッチ感知期間の間、前記駆動電極に対してタッチの有無を判断する。
【０１３４】
上述したような機能を有するために、前記タッチ感知部６００は、図９に示すように、前記第１の駆動電圧（ＤＶ１）と前記第２の駆動電圧（ＤＶ２）を生成する駆動部６１０及び前記感知信号を受信して各々の駆動電極及び受信電極でのタッチの有無を判断する受信部６２０を含む。
【０１３５】
前記駆動部６１０は、前記第１の駆動電圧を生成する第１の駆動電圧生成部６１１、前記第２の駆動電圧を生成する第２の駆動電圧生成部６１２、第３の制御信号（ＣＳ３）によって前記第１の駆動電圧生成部と前記第２の駆動電圧生成部を前記駆動電極に連結させる連結部６１３、及び第４の制御信号（ＣＳ４）によって第ｋの駆動電極（ＴＸｋ）に前記第１の駆動電圧を供給し、第ｋ＋１の駆動電極（ＴＸｋ＋１）に前記第２の駆動電圧を供給するためのスイッチング部６３０を含む。
【０１３６】
前記連結部６１３は、前記タイミングコントローラ４００又は前記タッチ感知部６００の内部で生成された前記第３の制御信号によって、前記第１の駆動電圧生成部６１１及び前記第２の駆動電圧生成部６１２を前記スイッチング部６３０に連結させ、又は前記スイッチング部６３０から遮断させる。
【０１３７】
例えば、前記第３の制御信号（ＣＳ３）が前記映像出力期間であることを知らせる信号である場合、前記連結部６１３は、前記第１の駆動電圧生成部６１１及び前記第２の駆動電圧生成部６１２と前記スイッチング部６３０との間の連結を遮断する。
【０１３８】
前記第３の制御信号（ＣＳ３）が前記タッチ感知期間であることを知らせる信号である場合、前記連結部６１３は、前記第１の駆動電圧生成部６１１及び前記第２の駆動電圧生成部６１２と前記スイッチング部６３０との間を連結させる。
【０１３９】
前記スイッチング部６３０は、前記タイミングコントローラ４００又は前記タッチ感知部６００の内部で生成された前記第４の制御信号が第ｋ＋１のタッチ感知期間であることを知らせる信号である場合、第ｋの駆動電極（ＴＸｋ）に前記第１の駆動電圧（ＤＶ１）が供給されることができるように、前記第ｋの駆動電極（ＴＸｋ）を前記第１の駆動電圧生成部６１１と連結させ、前記第ｋ＋１の駆動電極（ＴＸｋ＋１）に前記第２の駆動電圧（ＤＶ２）が供給されることができるように、前記第ｋ＋２の駆動電極（ＴＸｋ＋２）を前記第２の駆動電圧生成部６１２と連結させる。
【０１４０】
また、前記スイッチング部６３０は、前記第２の制御信号が第ｋ＋２のタッチ感知期間であることを知らせる信号である場合、第ｋの駆動電極（ＴＸｋ）に前記第２の駆動電圧（ＤＶ２）が供給されることができるように、前記第ｋの駆動電極（ＴＸｋ）を前記第２の駆動電圧生成部６１２と連結させ、前記第ｋ＋１の駆動電極（ＴＸｋ＋１）に前記第１の駆動電圧（ＤＶ１）が供給されることができるように、前記第ｋ＋１の駆動電極（ＴＸｋ＋１）を前記第１の駆動電圧生成部６１１と連結させる。
【０１４１】
また、前記スイッチング部６３０は、前記第２の制御信号が前記第２ｋの駆動電極（ＴＸ２ｋ）のタッチの有無を判断するように設定されているタッチ感知期間であることを知らせる信号である場合、前記第２ｋの駆動電極（ＴＸ２ｋ）に前記第１の駆動電圧が供給されることができるように、前記第２ｋの駆動電極を前記第１の駆動電圧生成部６１１と連結させ、第２ｋ―１の駆動電極（ＴＸｋ―１）に前記第２の駆動電圧（ＤＶ２）が供給されることができるように、前記第ｋ―１の駆動電極を前記第２の駆動電圧生成部６１２と連結させる。
【０１４２】
即ち、前記スイッチング部６３０は、前記第２の制御信号によって、前記第１の駆動電圧生成部６１１及び前記第２の駆動電圧生成部６１２を前記駆動電極と連結させる機能を有する。
【０１４３】
本発明による表示装置駆動方法を簡単に整理すると次の通りである。
【０１４４】
即ち、本発明の第１の実施例による表示装置駆動方法は、パネル１００にインセルタイプで形成されたタッチパネルに形成されている、ｓ個の受信電極、及び、前記受信電極と交差するように形成されており、ｓ個より小さいｋ個の駆動電極のうち、隣接している第ｎ（１より大きくｋより小さい数）の駆動電極と第ｎ＋１の駆動電極に、第１の駆動電圧と第２の駆動電圧をそれぞれ供給して前記第ｎの駆動電極のタッチの有無を判断する段階、及び第ｋの駆動電極に前記第１の駆動電圧を供給し、第ｋ−１の駆動電極に前記第２の駆動電圧を供給して前記第ｋの駆動電極のタッチの有無を判断する段階を含む。
【０１４５】
また、本発明の第２の実施例による表示装置駆動方法は、パネル１００にインセルタイプで形成されたタッチパネルに形成されている、ｓ個の受信電極とｋ個の駆動電極とが交差するように形成されている第１のタッチ電極グループ（ＴＧ１）と、ｓ個の他の受信電極と第ｋ＋１の駆動電極乃至第２ｋの駆動電極が交差するように形成されている第２のタッチ電極グループ（ＴＧ２）の各々で、前記駆動電極のうち、隣接している第ｎ（ｎは１より大きくｋより小さい数）の駆動電極と第ｎ＋１の駆動電極に第１の駆動電圧と第２の駆動電圧をそれぞれ供給して、前記第ｎの駆動電極のタッチの有無を判断する段階、及び、前記第１のタッチ電極グループを構成する第ｋの駆動電極に前記第１の駆動電圧を供給し、前記第２のタッチ電極グループを構成する前記第ｋ＋１の駆動電極に前記第２の駆動電圧を供給して、前記第ｋの駆動電極のタッチの有無を判断する段階を含む。
【０１４６】
本発明の属する技術の分野における当業者には、本発明がその技術的思想や必須特徴を変更せず他の具体的な形態に実施できるということが理解されるであろう。したがって、上述した実施例は、すべての面で例示的なものであり、限定的なものではないと理解しなければならない。本発明の範囲は、上記の詳細な説明よりは、後述する特許請求の範囲によって示され、特許請求の範囲の意味及び範囲、そしてその等価概念から導かれるすべての変更又は変形された形態が本発明の範囲に属するものと解釈しなければならない。
【符号の説明】
【０１４７】
１００    パネル
２００    ゲートドライバ
３００    データドライバ
４００    タイミングコントローラ
６００    タッチ感知部
６１０    駆動部
６１１    第１の駆動電圧生成部
６２０    受信部
６３０    スイッチング部
【図１】
0005881808.tif 000002
【図２】
0005881808.tif 000003
【図３】
0005881808.tif 000004
【図４】
0005881808.tif 000005
【図５】
0005881808.tif 000006
【図６】
0005881808.tif 000007
【図７】
0005881808.tif 000008
【図８】
0005881808.tif 000009
【図９】
0005881808.tif 000010